(57)【特許請求の範囲】
【請求項１】
容器内から流動体を汲み上げる主通路と、この主通路とつながる排出通路とを備えるノズルヘッドにおいて、
前記排出通路の内部に、この排出通路の内壁として形作られていると共に、当該排出通路に導入された流動体を該排出通路の内壁に衝突させて流れを調整する流れ調整部を設け、
当該流れ調整部は、前記主通路との接続部付近に配したものであって、且つ、その先端部の断面形状が前記排出通路の排出口に向かうに従って該排出通路の内壁に向かって傾斜する傾斜部であることを特徴とするノズルヘッド。
【請求項２】
前記流れ調整部は、前記排出通路の内壁の上側または下側の少なくとも一方に配したものである請求項１に記載のノズルヘッド。
【発明の詳細な説明】
【０００１】
【発明の属する技術分野】
本発明は、容器内から流動体を汲み上げる主通路と、この主通路とつながる排出通路とを備えるノズルヘッドに関するものである。
【０００２】
【従来の技術】
こうしたノズルヘッドは一般に、シャンプーやリンス、液体ボディソープ、乳液や化粧水などの流動体を内容物とする、例えば、手動式蓄圧ポンプ液体容器に取り付けられるものであり、ノズルヘッドの主通路に容器内から汲み上げた内容物を主通路とつながる排出通路を経て外部に排出するものである。
【０００３】
【発明が解決しようとする課題】
しかしながら、こうした従来のノズルヘッドにあっては、主通路から排出通路までの間に内容物の流量（勢い）を抑制する手段が取られていないため、内容物の粘性が低い場合にはノズルの先端から内容物が勢いよく飛び出してしまうことがある。
【０００４】
そこで、ノズルヘッドの排出口からの予期せぬ液飛びを防止するための様々な手段が提案されている。図６は、こうした液飛びを防止する手段を例示した一部断面図である。
【０００５】
従来のノズルヘッド１０は、図６に示す如く、流動体を汲み上げる主通路１１と、この主通路１１と側面からつながり該主通路１１の流動体を側方に輩出するための排出通路１２とを備える。このための液飛びを防止する従来技術は、ノズルヘッド１０に取り付けた手動式ポンプ３００を構成する部品（中空ステム）３６０の内部にオリフィス３７０を別体に取り付けて、主通路１１に汲み上がる流動体の流量を抑えて、排出通路１２に導入される内容物の勢いを抑えるものである。
【０００６】
しかしながら、こうしたオリフィス部は、流動体を汲み上げるポンプ（手動式ポンプ３００）を構成する部品と直接関係のないものであるため、このオリフィス部を配置するためにポンプ全体の設計変更が必要となるという点で不利であった。そこで、本願出願人は新たに、ノズルヘッドの排出通路に直接オリフィスを設けることを発想するに至った。
【０００７】
ところが、ノズルヘッドの排出通路にオリフィス部を設けた場合、この排出通路の孔径が小さくなるため、結局、ノズルヘッドの排出口から高い圧力の内容物が勢いよく飛び出してしまうという問題が生じた。
【０００８】
本発明は、上述した問題点に鑑みてなされたものであって、ノズルヘッド周辺に配した部品のレイアウトを変更すること無く、ノズルヘッドから流動体が勢いよく飛び出すことを防止することを目的とする。
【０００９】
【課題を解決するための手段】
この課題を解決するため、第１発明であるノズルヘッドは、容器内から流動体を汲み上げる主通路と、この主通路とつながる排出通路とを備えるノズルヘッドにおいて、前記排出通路の内部に、この排出通路の内壁として形作られていると共に、当該排出通路に導入された流動体を該排出通路の内壁に衝突させて流れを調整する流れ調整部を設けたことを特徴とするものである。
【００１０】
この場合、排出通路に導入された流動体は、流れ調整部によって排出通路の内壁に衝突して排出通路内に乱流を生じさせるため、ノズルヘッドの排出口から内容物が勢いよく飛び出すことを防止することができる。しかも、流れ調整部をノズルヘッドの内部に設けたため、ノズルヘッド周辺に配した部品のレイアウトを変更する必要がない。
【００１１】
また、第１発明であるノズルヘッドは、流れ調整部は、主通路との接続部付近に配したものであって、且つ、その先端部の断面形状が、前記排出通路の排出口に向かうに従って該排出通路の内壁に向かって傾斜する傾斜部である。
【００１２】
第２発明であるノズルヘッドは、上記第１発明において、流れ調整部は、排出通路の内壁の上側または下側の少なくとも一方に配したものであることが好ましい。
【００１４】
【発明の実施の形態】
以下、本発明の実施の形態を、手動式のポンプに取り付けた場合を参照して、添付図面に基づき詳細に説明する。
【００１５】
図１は、本発明に係るノズルヘッドの第１の実施形態を取り付けた手動式ポンプを示す一部断面図、図２は、図１のノズルヘッドを拡大した一部断面図である。また図３（ａ）は、図２の領域Ｘを示した拡大断面図であり、図３（ｂ）は、本発明の参考例を示した拡大断面図である。さらに図４（ａ），（ｂ）はそれぞれ、流れ調整部の異なる実施形態を排出通路の排出口から示した断面図である。
【００１６】
本発明の第１実施形態であるノズルヘッド１００を取り付けた手動式ポンプ３００は、容器本体４００の内部４１０に収納された例えば、粘性抵抗の高い流動体からなる内容物を吸入・貯留するシリンダ３１０を有する。
【００１７】
シリンダ３１０は、その内部に後述するシリンダ室Ｒの吸入口Ｒ(in)を開放して容器本体４００内の内容物をシリンダ室Ｒ内に吸入するためのボールからなるチェック弁Ｂ1を具え、シール部材３３０を介して、容器本体４００の口部に対してキャップ３４０によるねじ嵌合などによって固定保持される。
【００１８】
またシリンダ３１０は、その内壁面３１０ｆとの相互間で気密状態を維持しつつスプリングＳ1を介して摺動可能に支持される摺動部材３２０を収納する。
【００１９】
摺動部材３２０は、その内部に摺動部材３２０の押し切り状態でチェック弁Ｂ1を開放状態に作動させるための押圧部材３５０を有し、この押圧部材３５０とシリンダ３１０と共にシリンダ室Ｒを画成する。その際、押圧部材３５０は、摺動部材３２０の押し切り状態で先端部３５０ｐがチェック弁Ｂ1を押しのけて開放状態にし、これによってシリンダ室Ｒ内を容器本体４００の内部４１０と連通させる。
【００２０】
また摺動部材３２０は、ノズルヘッド１００に応動し手動ポンプを構成する中空ステム３６０を有し、この中空ステム３６０は、その上端部にノズルヘッド１００と共にボールからなるチェック弁Ｂ2を備え、このチェック弁Ｂ2は、ノズルヘッド１００の主通路１１０内に形成された突起部１１０ｐによってポンプ軸線Ｏ1方向に一定の遊びを有した状態で規制されている。
【００２１】
ノズルヘッド１００は、図２に示す如く、中空ステム３６０と連結するヘッド本体１００ａと、ヘッド本体１００ａから側方に延在するノズル１００ｂとからなり、ヘッド本体１００ａには、容器本体４００の内部から内容物を汲み上げる主通路１１０を備え、またノズル１００ｂには、主通路１１０と側面からつながり該主通路１１０の内容物を側方に輩出するための排出通路１２０を備える。
【００２２】
排出通路１２０は、その内部に、ポンプ３００の作用によって主通路１１０を経て排出通路１２０に導入される内容物を排出通路１２０の下側内壁１２１に衝突させて流れを調整する流れ調整部１２２を備えている。
【００２３】
流れ調整部１２２の断面形状は、図３（ａ）に示す如く、排出通路１２０の内壁１２１と平行な軸線Ｏ2に対し、排出通路１２０の排出口１２０ａに向かうに従って排出通路の内壁１２１に向かって傾斜する傾斜部である。この場合、流れ調整部１２２の形状が単純であるため、ノズルヘッド１００を簡単且つ安価に製造することができる。しかも、この場合、流れ調整部１２２に形成した傾斜角は僅かな角度でよいため、排出通路１２０を一体成形した後の中子（金型）の抜きが容易になって作業性も向上する。
【００２４】
次に本実施形態の作用を説明する。
【００２５】
手動式ポンプ３００は、ノズルヘッド１００を押し下げない状態では、図１に示す如く、チェック弁Ｂ1，Ｂ2が共に閉鎖状態にあるため、シリンダ室Ｒは外部から空気または内容物などが進入しない密閉状態にある。
【００２６】
ここでノズルヘッド１００を押し下げると、中空ステム３６０を介して摺動部材３２０と共に押し下がった押圧部材３５０の先端部３５０ｐが摺動部材３２０の押し切り状態でチェック弁Ｂ1を開放状態に作動させる。これによって、シリンダ室Ｒ内の空気は、シリンダ室Ｒ内の容積が減少すると共に、シリンダ室Ｒの吸入口Ｒ(in)を経て容器本体４００の内部４１０に排出される。
【００２７】
次にノズルヘッド１００の押し下げ動作を解除して摺動部材３２０がスプリングＳ1の弾性力によって復帰動作すると、シリンダ室Ｒ内に負圧が生じてチェック弁Ｂ1を上方に引き上げる開放状態に動作させることにより、シリンダ室Ｒの吸入口Ｒ(in)を開放したまま、容器内部４１０の内容物をシリンダ室Ｒ内に吸い上げる。
【００２８】
摺動部材３２０の復帰動作が終了すると、図１に示す如く、シリンダ室Ｒ内に発生する負圧の減少と共にチェック弁Ｂ1が落下する閉鎖状態に動作して内容物の充填が完了する。
【００２９】
この後、再びノズルヘッド１００を介して摺動部材３２０の押し下げ動作を行うと、摺動部材３２０がシリンダ室Ｒ内の内容物を加圧してこの圧力が押圧部材３５０に付勢力として作用する。この付勢力が押圧部材３５０を摺動部材３２０から離間させる開放状態に動作させることによりシリンダ室Ｒの排出口Ｒ(out)を開放して、充填された内容物を中空ステム３６０内に形成された内部通路３６１からチェック弁Ｂ2を経てノズルヘッド１００の主通路１１０に汲み上げる。
【００３０】
ノズルヘッド１００では、図２および図３（ａ）に示す如く、主通路１１０に汲み上げた内容物が排出通路１２０に導入される。この場合、排出通路１２０に導入された内容物は、流れ調整部１２２によって排出通路１２０の内壁１２１に衝突して排出通路１２０内に乱流ｆを生じさせるため、ノズルヘッド１００の排出口から内容物が勢いよく飛び出すことを防止することができる。しかも、流れ調整部１２２をノズルヘッド１００の内部に設けたため、ノズルヘッド１００周辺に配したポンプ２００を構成する部品のレイアウトを変更する必要がない。
【００３１】
なお、流れ調整部１２２を排出口１２０ａから見た形状には、例えば、図４（ａ）に示す如くの丸穴タイプや、図４（ｂ）に示す如くの円弧タイプなどのものがあり、その選択は、用途に応じて適宜行うことができる。
【００３２】
また流れ調整部１２２は、排出通路１２０の延在する方向のいずれの位置に設けてもよいが、本実施形態の如く、主通路１１０と排出通路１２０との接続部付近Ｘに配したものであることが好ましい。この場合、排出通路１２０の全体を使って大きな乱流を起こさせることができるため、内容物の飛び出しの防止に有効である。
【００３３】
さらに流れ調整部１２２は、排出通路１２０の内壁１２１周りのいずれの位置に設けてもよいが、本実施形態の如く、排出通路１２０の上側に配したものであることが好ましい。この場合、内容物に加わる重力の影響を利用して乱流ｆを効率的に生じさせることができるため、内容物の飛び出しの防止に有効である。
【００３４】
また図３（ｂ）は、排出通路１２０を一体成形した後の中子（金型）をさらに抜きやすく構成したノズルヘッド１００の変形例を示す拡大断面図であり、排出通路１２０を形成するための金型を真横から抜く場合を示している。この例では、流れ調整部１２２の断面形状をストレート穴としたため、ノズル１００ｂを成形する金型の抜きが最も容易となる。なお、図３（ｂ）では、流れ調整部１２２の断面形状がストレート穴であるが、ノズル１００ｂがヘッド本体１００ａに対してやや上向きに設けられているから、排出通路１２０に導入された内容物は、流れ調整部１２２よって排出通路１２０の内壁１２１に衝突して排出通路１２０内に乱流ｆを生じさせるため、ノズルヘッド１００の排出口から内容物が勢いよく飛び出すことを防止することができる。つまり、図３（ｂ）は、流れ調整部１２２の断面形状がポンプ軸線Ｏ1に対して垂直方向、即ち、水平方向なストレート穴に形成されている以外、図３（ａ）に示す実施形態と同一構成となっており、同様の効果をもたらす。
【００３５】
以上のことから明らかな如く、本発明であるノズルヘッド１００によれば、このノズルヘッド周辺に配した部品のレイアウトを変更すること無く、ノズルヘッド１００から内容物が勢いよく飛び出すことを防止することができる。
【００３６】
図５は、ノズルヘッドの第２実施形態を拡大した状態で示す一部断面図である。なお、図５にてノズルヘッド以外の部分は、第１実施形態と同様の構成をとるものとし、図１〜４と同一部分は同一符合をもってその説明を省略する。
【００３７】
第２実施形態であるノズルヘッド２００は、図５に示す如く、中空ステム３６０と連結するヘッド本体２００ａと、ヘッド本体２００ａから側方に延在するノズル２００ｂとからなり、ヘッド本体２００ａには、容器本体４００の内部４１０から内容物を汲み上げる主通路２１０を備え、またノズル２００ｂには、主通路２１０と側面からつながり該主通路２１０の内容物を側方に輩出するための排出通路２２０を備える。
【００３８】
排出通路２２０は、第１実施形態と同様、主通路２１０と排出通路２２０との接続部付近Ｘに、手動式ポンプ３００の作用によって主通路２１０を経て排出通路２２０に導入される内容物を排出通路２２０の上側内壁２２１に衝突させて流れを調整する流れ調整部２２２を設けている。
【００３９】
流れ調整部２２２の断面形状は、第１実施形態と同様、排出通路２２０の排出口２２０ａに向かうに従って排出通路の内壁２２１に向かって傾斜する傾斜部であり、流れ調整部２２２を排出通路２２０の排出口２２０ａから見た形状も、例えば、図４（ａ）に示す如くの丸穴タイプや、図４（ｂ）に示す如くの円弧タイプなどのものがあり、その選択は、用途に応じて適宜行うことができる。
【００４０】
本実施形態において流れ調整部２２２は、排出通路２２０の下側に配したものである。この場合も、第１実施形態と同様、内容物に加わる重力の影響を利用して乱流ｆを効率的に生じさせることができるため、内容物の飛び出しの防止に有効である。
【００４１】
上述したところは、本発明の好適な実施例を示したにすぎず、当業者によれば、請求の範囲において、種々の変更を加えることができる。例えば、内容物をノズルヘッドに汲み上げる手段は、内容物をノズルヘッドまで導入可能な装置であれば、手動式のポンプに限らず、例えば、電動式のポンプなどであってもよい。また内容物である流動体は、粘性抵抗の低い流動体でも、ムース状のものでもよく、特にムース状の場合、内容物をノズルヘッドに汲み上げる手段は、炭酸ガスなどを使用したスプレータイプの蓄圧式ポンプであってもよい。
【００４２】
【発明の効果】
第１発明に係るノズルヘッドによれば、排出通路の内部に、この排出通路に導入された流動体を該排出通路の内壁に衝突させて流れを調整する流れ調整部を設けたことにより、ノズルヘッド周辺に配した部品のレイアウトを変更すること無く、ノズルヘッドから内容物が勢いよく飛び出すことを防止することができる。
【００４３】
また第１発明は、流れ調整部を主通路との接続部付近に配したことから、排出通路の全体を使って大きな乱流を起こさせることができるため、内容物の飛び出しの防止に有効である。
【００４４】
さらに第２発明は、上記第１発明において、流れ調整部を排出通路の内壁の上側または下側の少なくとも一方に配したことから、流動体に加わる重力の影響を有効に利用して、乱流を効率的に生じさせることができるため、内容物の飛び出しの防止に有効である。
【００４５】
また第１発明は、流れ調整部を、その先端部の断面形状が排出通路の排出口に向かうに従ってこの排出通路の内壁に向かって傾斜する傾斜部としたから、第１発明に係るノズルヘッドを簡単かつ安価に製造することができる。
【図面の簡単な説明】
【図１】  本発明に係るノズルヘッドの第１の実施形態を取り付けた手動式ポンプを示す一部断面図である。
【図２】  図１のノズルヘッドを拡大した一部断面図である。
【図３】  （ａ）は、図２の領域Ｘを示した拡大断面図であり、（ｂ）は、本発明の参考例を示した拡大断面図である。
【図４】  （ａ），（ｂ）はそれぞれ、流れ調整部の異なる実施形態を排出通路の排出口から示した断面図である。
【図５】  本発明に係るノズルヘッドの第２の実施形態拡大した一部断面図である。
【図６】  従来のノズルヘッドを取り付けた手動式ポンプを示す一部断面図である。
【符号の説明】
１００  ノズルヘッド
１００ａ  ヘッド本体
１００ｂ  ノズル
１１０  主通路
１２０  排出通路
１２１  排出通路の内壁
１２２  流れ調整部
２００  ノズルヘッド
２００ａ  ヘッド本体
２００ｂ  ノズル
２１０  主通路
２２０  排出通路
２２１  排出通路の内壁
２２２  流れ調整部
３００  手動式ポンプ
３１０  シリンダ
３２０  摺動部材
３３０  シール部材
３４０  キャップ
３５０  押圧部材
３５０ｐ  押圧部材の先端部
３６０  中空ステム
３６１  ノズルチップ
４００  容器本体
４１０  容器内部
Ｓ1  スプリング
【図１】
0004342125.tif 000002
【図２】
0004342125.tif 000003
【図３】
0004342125.tif 000004
【図４】
0004342125.tif 000005
【図５】
0004342125.tif 000006
【図６】
0004342125.tif 000007